(57)【要約】【課題】  高速印刷を目的とする枚葉印刷機において不正給紙が発生したときであっても、印刷機内の部位に悪影響を与えることなく、スムーズに給紙動作を停止させる枚葉印刷機のスイング装置を提供する。【解決手段】  スイング装置は、揺動自在に枚葉印刷機内のフレームに配設される偏心軸受駆動機構１０と、この偏心軸受駆動機構１０の先端に揺動自在に支承される偏心軸受２０と、その偏心軸受２０により回動自在に支承されるスイングレバー３０と、このスイングレバー３０による回動の中心軸であるスイングレバー軸４０と、そのスイングレバー３０の自由端側に回動自在に支承されるグリッパ軸５０と、このグリッパ軸５０回りに回動し枚葉紙１００を把持するグリッパ爪６０と、そのスイングレバー３０の自由端側に設けられそのグリッパ爪６０と挟み込むことで枚葉紙１００を把持する爪座７０と、そのグリッパ爪６０に延設されその偏心軸受２０に刻設されたカム溝２１に沿って摺動自在に嵌合された爪開閉カムフォロア８０とを有して構成される。【選択図】        図１
2008143667.tif 000002
【特許請求の範囲】
【請求項１】
フィーダボード上を搬送され前当てに当接した枚葉紙をグリッパ爪により把持して搬送する枚葉印刷機のスイング装置であって、
前記グリッパ爪は、爪開閉カムフォロアの移動に伴って移動するとともに、爪の開閉を行うように構成されており、
不正給紙発生時には、前記爪開閉カムの移動の軌跡を変更し、前記フィーダボード上の枚葉紙を把持しないように構成したことを特徴とする枚葉印刷機のスイング装置。
【請求項２】
フィーダボード上を搬送され前当てに当接した枚葉紙を把持して搬送する枚葉印刷機のスイング装置であって、
前記枚葉印刷機の左右のフレーム間に揺動自在に設けられたスイングレバー軸と、
前記スイングレバー軸に回動自在に設けられ、そのスイングレバー軸の回動中心に対して偏心した偏心軸受と、
前記偏心軸受に固定された爪開閉カムと、
前記スイングレバー軸に固定されたスイングレバーと、
前記スイングレバーに固設され前記スイングレバーの揺動により前記カム溝に沿って移動する爪開閉カムフォロアと、
前記爪開閉カムフォロアの移動に従って移動するとともに爪の開閉を行って前記前当てに当接した枚葉紙を把持し前記給紙胴へ搬送するグリッパ爪と、
を有し、
前記偏心軸受に固定された爪開閉カムは、前記枚葉紙の不正給紙発生時において、スイングレバーの揺動軸の中心から偏心した軸中心に回動し、
前記グリッパ爪は、前記前当てに当接した枚葉紙に接近したときに、前記グリッパ爪を開き状態に保持し、前記枚葉紙を把持して搬送しないように構成したことを特徴とする枚葉印刷機のスイング装置。
【請求項３】
前記偏心軸受は、不正給紙発生時に、前記グリッパ爪が枚葉紙を解放する位置に移動したとき、前記グリッパ爪が閉止したままとなる位置に前記カム溝を移動させるように回動することを特徴とする請求項２記載の枚葉印刷機のスイング装置。
【請求項４】
前記偏心軸受の回動と同時に作動してフィーダボード上の枚葉紙を押止する紙押え具をさらに有することを特徴とする請求項２または３記載の枚葉印刷機のスイング装置。
【発明の詳細な説明】
【技術分野】
【０００１】
本発明は、枚葉印刷機のスイング装置に関し、特に、給紙部における不正給紙に対応した枚葉印刷機のスイング装置に関する。
【背景技術】
【０００２】
大量印刷の分野において主流となっている印刷方式の１つに、オフセット印刷方式がある。このオフセット印刷方式とは、版に付けたインキを一旦ゴムシートに移し、それを紙などに転移させて印刷する方式である。
このように版から直接紙に印刷しないことから、紙との接触による版の傷みを防ぐとともに、高速印刷を実現できるようになっている。
このオフセット印刷方式の１つに枚葉印刷方式がある。この枚葉印刷方式は、予め所定サイズに裁断された枚葉紙を１枚ずつ給紙部から印刷部へ搬送して印刷する方式であって、印刷する枚葉紙のサイズや厚さがフリーであること、紙以外のフィルム等に印刷することが可能であること、その他の印刷の高度技術に柔軟に対応できること等、利点が非常に多い。
【０００３】
ここで、この枚葉印刷方式を用いた枚葉印刷機における給紙部の枚葉紙の搬送機構について説明する。
この枚葉印刷機の給紙部には、フィーダボード上を送紙されてきた枚葉紙を給紙胴に渡すためのスイングレバーが一般に設けられる。
このスイングレバーの一端は、スイング軸に固設されており、このスイング軸を中心にフィーダボードと給紙胴との間を揺動して枚葉紙の搬送動作を行う。
また、そのスイングレバーの他端には、フィーダボード上に送紙されてきた枚葉紙が載置される爪座と、この爪座とともにその枚葉紙を挟んで枚葉紙を把持するためのグリッパ爪とが設けられる。
このグリッパ爪が爪座に対して開いている状態で、送紙されてきた枚葉紙をそのグリッパ爪・爪座間で受け取り、そのグリッパ爪を爪座に対して閉じて枚葉紙を把持した後に、スイング軸回りに揺動して、その把持した枚葉紙を給紙胴まで運ぶ。そして、グリッパ爪を開いて把持していた枚葉紙を離して給紙胴へ移し、スイングレバーは、スイング軸を中心に揺動して、フィーダボード上を送紙されてきた枚葉紙を把持可能な位置に復帰する。
この一連の動作を、枚葉紙１枚ずつ繰り返し行うことにより、次々と大量の枚葉紙が搬送される。
【０００４】
このように、枚葉印刷方式の場合、給紙部では枚葉紙を１枚ずつ搬送していくが、まれに枚葉紙が複数枚同時にフィーダボード上に搬送され、紙が斜めに搬送されたりという不正給紙が発生することがある。このように不正給紙が発生したときに、前述のグリッパ爪及び爪座が枚葉紙を複数枚まとめて把持して給紙胴に搬送すると、紙詰まりが発生して枚葉紙の搬送動作が停止したり、正常な印刷ができなくなったりといった印刷上のトラブルが発生してしまう。
【０００５】
このような不正給紙を起因とする印刷トラブルの発生を未然に防ぐための技術の１つとして、特許文献１が開示するところの枚葉印刷機のスインググリッパ装置が提案されている。
このスインググリッパ装置には、グリッパ爪を開閉するためのカムを２つ備えており、カムアームアクチュエータを作動させてこれらのカムを切り替え可能に構成されている。
正常給紙時には、このグリッパ爪が閉じ枚葉紙を把持可能なカムが選択される。一方、不正給紙発生時には、グリッパ爪が爪座に最も接近した状態であっても完全に閉じず枚葉紙を把持しないカムが選択され、複数枚まとめてフィーダボード上を搬送されてきた枚葉紙を、印刷部に給紙することを未然に防ぐことが可能となっている。
【特許文献１】特開２００３−２６７５８６
【発明の開示】
【発明が解決しようとする課題】
【０００６】
しかしながら、その特許文献１のスインググリッパ装置は、高速印刷中に不正給紙が発生し、カムアクチュエータによりカムの切り替えを行うと、その切り替えを起因とする大きな振動（ショック）が発生し、そのカム周辺の部材に負荷がかかってしまい、その部材の損傷が生じてしまうという問題がある。
特許文献１のスインググリッパ装置は、このように高速印刷中に不正紙の搬送を停止させるごとに印刷装置に損傷を与える可能性があることから、高速印刷を目的とする枚葉印刷機に用いるときには、従来以上のメンテナンスや修理コストが必要となるおそれがある。
【０００７】
本発明は、上記問題点に鑑みてなされたものであり、高速印刷を目的とする枚葉印刷機において不正給紙が発生したときであっても、印刷機内の部位に悪影響を与えることなく、スムーズに給紙動作を停止させることが可能な枚葉印刷機のスイング装置を提供することを目的とする。
【課題を解決するための手段】
【０００８】
かかる目的を達成するため、本発明は、フィーダボード上を搬送され前当てに当接した枚葉紙をグリッパ爪により把持して搬送する枚葉印刷機のスイング装置であって、そのグリッパ爪は、爪開閉カムフォロアの移動に伴って移動するとともに、爪の開閉を行うように構成されており、不正給紙発生時には、爪開閉カムの移動の軌跡を変更し、フィーダボード上の枚葉紙を把持しないように構成したことを特徴とする。
【０００９】
また、本発明は、フィーダボード上を搬送され前当てに当接した枚葉紙を把持して搬送する枚葉印刷機のスイング装置であって、枚葉印刷機の左右のフレーム間に揺動自在に設けられたスイングレバー軸と、スイングレバー軸に回動自在に設けられ、そのスイングレバー軸の回動中心に対して偏心した偏心軸受と、偏心軸受に固定された爪開閉カムと、スイングレバー軸に固定されたスイングレバーと、スイングレバーに固設されスイングレバーの揺動によりカム溝に沿って移動する爪開閉カムフォロアと、爪開閉カムフォロアの移動に従って移動するとともに爪の開閉を行って前当てに当接した枚葉紙を把持し給紙胴へ搬送するグリッパ爪と、を有し、偏心軸受に固定された爪開閉カムは、枚葉紙の不正給紙発生時において、スイングレバーの揺動軸の中心から偏心した軸中心に回動し、グリッパ爪は、前当てに当接した枚葉紙に接近したときに、グリッパ爪を開き状態に保持し、枚葉紙を把持して搬送しないように構成したことを特徴とする。
【００１０】
また、本発明によれば、その偏心軸受は、不正給紙発生時に、グリッパ爪が枚葉紙を解放する位置に移動したとき、グリッパ爪が閉止したままとなる位置にカム溝を移動させるように回動することを特徴とする。
【００１１】
また、本発明によれば、その偏心軸受の回動と同時に作動してフィーダボード上の枚葉紙を押止する紙押え具をさらに有することを特徴とする。
【発明の効果】
【００１２】
本発明は、フィーダボード上を搬送され前当てに当接した枚葉紙をグリッパ爪により把持して搬送する枚葉印刷機のスイング装置であって、そのグリッパ爪は、爪開閉カムの移動に伴って移動するとともに、爪の開閉を行うように構成されており、不正給紙発生時には、爪開閉カムの移動の軌跡を変更し、フィーダボード上の不正紙を把持しないように構成しているので不正紙が印刷部へ搬送することを防ぐことができ、無用な印刷トラブルを未然に防ぐことが可能となる。
【発明を実施するための最良の形態】
【００１３】
＜第１の実施形態＞
（第１の実施形態の構成）
本実施形態におけるスイング装置は、枚葉印刷機に設置されるものであって、正常時には、フィーダボード上を搬送されてきた枚葉紙をグリッパ爪で把持して給紙胴まで搬送する。その後、給紙胴まで搬送された枚葉紙は、給紙胴から印刷部へ搬送され、印刷される。
一方、２枚同時に紙が搬送されてきたり、紙が斜めに搬送されてきたりといった不正給紙が発生したときには、本実施形態におけるスイング装置は、その不正給紙された枚葉紙（以下、不正紙という）を印刷部等へ搬送しないようにすることで、印刷機内のトラブルを未然に防止する。
【００１４】
図１，２は、本発明の第１の実施形態における枚葉印刷機のスイング装置の構成を示す側面図及び正面図であって、正常時に、枚葉紙１００をフィーダボード１１０から受け取っている状態を示す図である。
以下、この図を用いて、このスイング装置の構成について説明を進める。
なお、以下、本明細書においては、地面に対して垂直上方向を単に上方と記し、反対に垂直下方向を単に下方と記す。
【００１５】
図に示すように、本実施の形態におけるスイング装置は、枚葉印刷機内の左右のフレーム間にスイングレバー軸４０が揺動自在に設けられ、そのスイングレバー軸４０にスイングレバー３０が固定されている。また、そのスイングレバー軸４０に、その軸４０の回動中心に対して偏心した偏心軸受２０が回動自在に取り付けられている。偏心軸受２０は、内輪と外輪との二重構造になっていて、外輪内周の中心がスイングレバー軸４０の中心に対して偏心しているものである。
そして、そのスイングレバー３０の自由端側に回動自在に支承されるグリッパ軸５０と、このグリッパ軸５０回りに回動し枚葉紙１００を把持するグリッパ爪６０と、そのスイングレバー３０の自由端側に設けられそのグリッパ爪６０と挟み込むことで枚葉紙１００を把持する爪座７０が設けられている。偏心軸受２０には、カム溝２１が形成された爪開閉カム２０１が固定されている。
そして、爪座７０に対して開閉するグリッパ爪６０の駆動を行なう爪開閉カムフォロア８０がカム溝２１に沿って摺動自在に嵌合されている。
さらに、印刷機内のフレームに偏心軸受駆動機構１０が設けられ、偏心軸受駆動機構１０の先端に偏心軸受２０が回動自在に支承されている。
【００１６】
スイングレバー軸４０は、その軸の両端が枚葉印刷機内のフレームに回動自在に設けられており、このスイングレバー軸４０が回動すると、この回動軸を中心にスイングレバー３０が揺動する。ここで、偏心軸受２０の回動中心はＡ、スイングレバー軸４０の回動中心はＢである。
【００１７】
また、図に示すように、偏心軸受２０には、爪開閉カムフォロア８０を誘導するためのカム溝２１が設けられている。
爪開閉カムフォロア８０は、スイングレバー３０の揺動に伴って、このカム溝２１上を往復する。グリッパ爪６０がフィーダボード１１０上から枚葉紙１００を咥えるときには、爪開閉カムフォロア８０は、図に示す位置にある。その後、グリッパ爪６０が把持している枚葉紙１００を給紙胴１２０へ渡すときには、爪開閉カムフォロア８０は、スイングレバー３０の揺動に伴って図に向かって右側（時計回り）に移動していく。そして、爪開閉カムフォロア８０は、グリッパ爪６０が枚葉紙１００を給紙胴１２０へ渡した後には、スイングレバー３０の揺動に伴って図に向かって左側（反時計回り）に移動し、枚葉紙１００の受け取り位置に復帰する。
【００１８】
グリッパ爪６０は、グリッパ軸５０の回動に伴って爪の開閉を行うように構成されている。また、このグリッパ軸５０は、前述の爪開閉カムフォロア８０と延設されており、この爪開閉カムフォロア８０の位置にしたがってグリッパ爪６０の開閉を行うようになっている。
【００１９】
また、前述のスイングレバー３０の揺動とは独立して、偏心軸受駆動機構１０の揺動により偏心軸受２０が回動する。
さらに、この偏心軸受駆動機構１０の構成について詳細に説明すると、この偏心軸受駆動機構１０は、枚葉印刷機内のフレームに回動自在に固設されるアーム軸１１と、一端がそのアーム軸に回動自在に支持され他端がシリンダ１２により伸縮自在に構成されるアーム部材１２ａと、一端がそのアーム部材１２ａの他端に連設されるアーム部材１３と、これらアーム部材１２ａ，１３を軸回りに回動自在に連設するアーム軸１４と、このアーム軸１３の中間部に回動自在に固設される偏心軸受駆動機構１０による揺動の中心軸となるアームスイング軸１５と、一端がそのアーム軸１３の他端に連設されるアーム部材１６と、アーム部材１３，１６を軸回りに回動自在に連設するアーム軸１７と、アーム部材１６の他端と前述の偏心軸受２０の内輪とを回動自在に連設する軸受連設軸１８とを有して構成される。
【００２０】
この偏心軸受駆動機構１０においては、アーム軸１１及びアームスイング軸１５は、枚葉印刷機のフレームに回動自在に固設されている。これに伴って、エアシリンダ１２のロッド１２ａが、伸縮することにより、アーム軸１４，１７を中心にアーム部材１３，１６が揺動し、偏心軸受２０を、スイングレバー軸４０とは偏心して回動させることが可能となっている。
なお、本実施形態において、不正給紙発生時には、フィーダボード１１０から給紙胴１２０へ枚葉紙を搬送するときの爪開閉カムフォロア８０の移動方向と同方向、すなわちスイングレバー軸４０の回動方向と同方向に偏心軸受２０が回動するように構成されている。
ただし、その偏心軸受２０の回動中心と、スイングレバー軸４０の回動中心とは、互いに偏心するように配設されている。
【００２１】
（第１の実施形態の動作）
次に、本実施形態におけるスイング装置による枚葉紙１００の搬送動作について、（１）正常時と、（２）不正給紙発生時とに分けて説明する。
【００２２】
（１）正常時の枚葉紙１００の搬送動作
まず、正常時に、枚葉紙１００をフィーダボード１１０上から給紙胴１２０へ搬送するときのスイング装置による動作について説明する。
【００２３】
図１に示すように、フィーダボード１１０上に枚葉紙１００が搬送されてくると、前当て１１１にその枚葉紙１００の前縁が当接し、搬送が一時停止する。
このとき、グリッパ爪６０及び爪座７０は揺動して、その前当て１１１で停止している枚葉紙１００に接近し、グリッパ爪６０と爪座７０との間に枚葉紙１００の前縁が挿入される。
【００２４】
図３は、本発明の第１の実施形態における枚葉印刷機のスイング装置の構成を示す側面図であって、正常時に、フィーダボード１１０から受け取った枚葉紙１００を咥えた状態を示す図である。
前述したように、前当て１１１で搬送が停止している枚葉紙１００をグリッパ爪６０と爪座７０との間に挿入した後、図に示すように、スイングレバー３０が、スイングレバー軸４０中心に時計回りに回動し、これに伴って、このスイングレバー３０の自由端側に固設されている爪開閉カムフォロア８０がカム溝２１に沿って摺動する。
また、この爪開閉カムフォロア８０に連設されているグリッパ軸５０も、その爪開閉カムフォロア８０とともに移動することにより、グリッパ爪６０が、爪座７０方向に移動して、その間に挿入されている枚葉紙１００を咥える。
【００２５】
図４は、本発明の第１の実施形態における枚葉印刷機のスイング装置の構成を示す側面図であって、正常時に、咥えた枚葉紙１００を給紙胴１２０へ移している状態を示す図である。
前述したように、スイングレバー３０が揺動し、グリッパ爪６０枚葉紙１００を咥えた後、図に示すように、スイングレバー３０がさらにスイングレバー軸４０中心に時計回りに回動すると、グリッパ爪６０及び爪座７０は、枚葉紙１００を咥えたまま給紙胴１２０へ搬送する。
そして、さらに、スイングレバー３０が、スイングレバー軸４０中心に時計回りに回動すると、グリッパ爪６０が開いて枚葉紙１００を開放し、給紙胴１２０に枚葉紙１００が移される。
このように、正常時には、スイング装置は、フィーダボード１１０上を搬送されてきた枚葉紙１００を把持してそのまま給紙胴１２０まで搬送し渡す。
その後、給紙胴１２０は、その渡された枚葉紙１００を図示しない印刷部へ搬送し、印刷が行われる。また、スイングレバー３０の揺動により爪開閉カムフォロア８０が枚葉紙１００の咥え位置まで再度移動し、枚葉紙１００の搬送動作を繰り返す。
【００２６】
（２）不正給紙発生時の枚葉紙１００の搬送動作
次に、不正給紙が発生したときのスイング装置の動作について説明する。
枚葉紙１００がフィーダボード１１０上を複数枚同時に搬送されたり、斜めに搬送されたりして不正給紙が発生すると、枚葉印刷機に備えられた不正給紙検知センサ（図示せず）が、その不正給紙の発生を検知して、スイング装置に通知する。
スイング装置は、その不正給紙が発生した旨の通知を受けると、アームスイング軸１５を中心にアーム部材１３を反時計回りに回動させるように、偏心軸受駆動機構１０を揺動させる。
そして、この偏心軸受駆動機構１０の揺動により、偏心軸受２０が、スイングレバー軸４０中心から偏心している回動軸中心Ｃに、時計回りに回動し、下方へ移動する。この結果、グリッパ爪６０の開閉のタイミングを制御するカム溝２１の位置も相対的に移動し、不正給紙発生時には、正常時と比べて、爪開閉カムフォロア８０がカム溝２１を所定時間遅れたタイミングで摺動する。これによって、グリッパ爪６０の開閉が所定時間遅れたタイミングで行われるようになる。
さらに、その偏心軸受２０の回動軸中心が、スイングレバー軸４０の軸中心からカム溝２１形成方向に偏心して配置されているので、偏心軸受２０の回動によりスイングレバー軸４０の軸中心からのカム溝２１の相対的な位置も移動する。この結果、グリッパ爪６０が、正常時に閉止状態となるタイミング、すなわち不正紙２００を受け取るタイミングでも開いたままとなる。
これらの動作を行うことから、スイング装置は、不正紙２００が給紙されても、その不正紙２００を咥えないので、不正紙２００が給紙胴１２０まで搬送されることを防止できるようになっている。
【００２７】
図５は、本発明の第１の実施形態における枚葉印刷機のスイング装置の構成を示す側面図であって、不正給紙発生時の状態を示す図である。
図に示すように、フィーダボード１１０上に不正紙２００が搬送され、前当て１１１で搬送が停止されると、グリッパ爪６０と爪座７０との間が開いた状態となっており、この間隙に不正紙２００の前縁が挿入される。
【００２８】
図６は、本発明の第１の実施形態における枚葉印刷機のスイング装置の構成を示す側面図であって、不正給紙発生時に、フィーダボード１１０から不正紙２００が前当て１１１に到達した状態を示す図である。
前述したように、前当て１１１にて搬送が停止している不正紙２００の前縁が、グリッパ爪６０と爪座７０との間に挿入されると、図に示すように、スイングレバー３０が、スイングレバー軸４０中心に時計回りに回動し、これに伴って、このスイングレバー３０の自由端側に固設されている爪開閉カムフォロア８０がカム溝２１に沿って摺動する。このとき、前述したように、爪開閉カムフォロア８０は、正常時と比べて所定時間遅れたタイミングで、カム溝２１を摺動するので、不正紙２００を把持しないまま、グリッパ爪６０及び爪座７０が、時計回りに揺動を開始する。
【００２９】
図７は、本発明の第１の実施形態における枚葉印刷機のスイング装置の構成を示す側面図であって、不正給紙発生時に、グリッパ爪６０及び爪座７０が、給紙胴１２０と隣接する位置まで移動した状態を示す図である。
前述したように、グリッパ爪６０が閉じないまま、すなわち不正紙２００を把持しないまま、グリッパ爪６０及び爪座７０が、時計回りに揺動するので、図に示すように、給紙胴１２０と隣接する位置まで移動したとしても、給紙胴１２０に不正紙２００が移されることがない。従って、給紙胴１２０を介して印刷部（図示せず）に不正紙２００が搬送されず、紙つまり等により枚葉印刷機に故障が発生するのを防ぐことができる。
【００３０】
また、前述したように、正常時には、グリッパ爪６０及び爪座７０が給紙胴１２０と隣接する位置まで移動すると、グリッパ爪６０が開き、枚葉紙１００を開放する。
これに対し、不正給紙発生時には、爪開閉カムフォロア８０は、正常時と比べて所定時間遅れたタイミングで、カム溝２１を摺動するので、グリッパ爪６０及び爪座７０が、給紙胴１２０と隣接する位置まで移動しても、グリッパ爪６０が閉じたままとなる。
【００３１】
（３）不正給紙発生時における偏心軸受２０の回動動作
図８は、本発明の第１の実施形態における不正給紙発生時の爪開閉カム２０１及び偏心軸受２０の回動を示す側面図である。
以下、この図を用いて、前述した不正給紙発生時のグリッパ爪６０の開閉動作についてさらに詳細に説明する。
この図において、グリッパ爪６０がフィーダボード１１０から枚葉紙１００又は不正紙２００を受け取るときの正常時の爪開閉カムフォロア８０の位置をＸとして実線で示し、不正給紙発生時の爪開閉カムフォロア８０の位置をＸ’として破線で示している。また、グリッパ爪６０が給紙胴１２０へ渡すときの正常時の爪開閉カムフォロア８０の位置をＹとして実線で示し、不正給紙発生時の爪開閉カムフォロア８０の位置をＹ’として破線で示している。また、正常時のカム溝２１の位置が実線、不正給紙発生時のカム溝２１が破線で示されている。
以下、図を用いて、不正給紙発生時における偏心軸受２０の回動動作について説明する。
【００３２】
図に示すように、この偏心軸受２０の回動軸の中心Ａと、爪開閉カムフォロア８０を揺動させるためのスイングレバー３０のスイングレバー軸４０の中心Ｂとが偏心している。
このように中心Ａ，Ｂが互いに偏心しているので、偏心軸受２０の回動により、スイングレバー３０の揺動の軌跡に対する偏心軸受２０上に設けられているカム溝２１の位置、すなわち爪開閉カムフォロア８０の移動の軌跡も相対的に、図中の実線Ｘ→Ｙから破線Ｘ’→Ｙ’へ変化する。
【００３３】
図に示すように、不正給紙が発生すると、フィーダボード１１０から紙を受け取るときのカム溝２１の位置は、正常時と比べてスイングレバー軸４０の外周側から中心側に移動する。この結果、爪開閉カムフォロア８０の位置も同方向に移動することから、グリッパ爪６０は、正常時には閉じているのに対し、不正給紙発生時には開いたままの状態となる。
【００３４】
一方、不正給紙発生後に給紙胴１２０に紙を渡すときには、図に示すように、反対に、カム溝２１は、正常時と比べてスイングレバー軸４０の中心側から揺動範囲の外周側に移動する。この結果、爪開閉カムフォロア８０の位置も同方向に移動することから、グリッパ爪６０は、正常時には開くのに対し、不正給紙発生時には閉じたままの状態を継続する。
【００３５】
また、紙咥え位置から紙渡し位置へ回動する方向と、不正給紙発生時の偏心軸受２０の回動方向とは、同じ時計回りであるので、不正給紙発生時においては、爪開閉カムフォロア８０は、正常時と比べて遅れて時計回りに移動する。このことから、グリッパ爪６０は、不正給紙発生時には正常時と比べて遅れたタイミングで開閉を行う。すなわち、グリッパ爪６０が給紙胴１２０の位置まで移動すると、正常時にはそのグリッパ爪６０が開き、咥えていた枚葉紙１００を解放する。
【００３６】
（第１の実施形態のまとめ）
以上説明したように、本実施形態におけるスイング装置は、不正給紙発生時には、フィーダボード１１０上を搬送された不正紙２００を把持するとき、不正紙２００を給紙胴１２０へ渡すときの両時点において、不正紙２００の搬送を抑止するように動作するので、不正紙２００の搬送に起因する印刷トラブルを確実に防止することが可能となる。
【００３７】
すなわち、不正給紙発生時には、偏心軸受２０がスイングレバー軸４０とは偏心して回動し、これに伴って、グリッパ爪６０がフィーダボード１１０から不正紙２００を受け取るときのカム溝２１の位置が、スイングレバー軸４０の外周側に移動する。爪開閉カムフォロア８０は、この外周側に移動したカム溝２１に沿って移動するので、グリッパ爪６０と爪座７０との間隔が広がり、不正紙２００を受け取ってもグリッパ爪６０は開いたままとなる。
従って、本実施形態におけるスイング装置は、不正給紙が発生したときには、その不正紙２００を咥えることがないので、枚葉印刷機の印刷部等へ不正紙２００が搬送されることにより発生する深刻な印刷トラブルを未然に防ぐことが可能となる。
【００３８】
一方、前述の偏心軸受２０の回動により、グリッパ爪６０が不正紙２００を給紙胴１２０へ渡すときのカム溝２１の位置が、スイングレバー軸４０の回動中心側に移動する（中心がＡ→Ｃに移動）。爪開閉カムフォロア８０は、この回動中心側に移動したカム溝２１に沿って移動するので、グリッパ爪６０と爪座７０との間隔が狭まる。
さらに、偏心軸受２０の回動により、グリッパ爪６０の開閉のタイミングが遅れるので、給紙胴１２０に紙を渡すタイミングになってもそのままグリッパ爪６０が閉じたままとなる。
【００３９】
また、このような不正給紙発生時におけるグリッパ爪６０の開閉制御は、偏心軸受２０の回動により行われるので、高速印刷時においてもその開閉制御によりショック及び負荷が生じることがないので、印刷機に損傷を与えることなく、スムーズに不正紙２００の搬送を確実に防止することができる。
【００４０】
なお、本実施の形態において、不正紙２００がスイング装置へ搬送されたことは、従来から存在する各種の不正給紙検知センサにより検知される。
例えば、この各種の不正給紙検知センサとしては、前当検知センサ、横針検知センサ、二枚止め検知センサ、オーバーラン検知センサ、当飛び検知センサ、逆積検知センサのいずれか、又は組み合わせて使用される。
具体的には、不正給紙検知センサは、フィーダボード１１０上を搬送されてくる枚葉紙１００の前縁が測定点を通過するタイミングを測定し、このタイミングが正常範囲外となると、不正給紙が発生したと判定するように構成してもよい。
偏心軸受２０は、この不正給紙検知センサによる不正給紙発生の判定を受けると、前述のように回動して、不正紙２００の搬送を防止する。
【００４１】
＜第２の実施形態＞
（第２の実施形態の構成）
前述したように、第１の実施形態におけるスイング装置は、不正給紙が発生すると、偏心軸受２０を回動させてグリッパ爪６０の開閉を行う爪開閉カムフォロア８０の動きを正常時と比べて変化させることにより、給紙部以降への不正紙２００の搬送を防止するものである。
本実施の形態におけるスイング装置は、このグリッパ爪６０の開閉機構に加えて、フィーダボード１１０へ不正紙２００を押止して搬送を停止させる紙押え具９０をさらに備えて、不正紙２００の搬送をより確実に防止することを可能にしている。
以下、特記しない限り、本実施形態における構成及び作用は、第１の実施形態と同様であるものとして説明を進める。
【００４２】
図９は、本発明の第２の実施形態における枚葉印刷機のスイング装置の構成を示す平面図であって、このスイング装置を上方から見た図である。
図に示すように、フィーダボード１１０上には、棒状の紙押え具９０が、フィーダボード１１０上の搬送面において給紙方向と垂直な方向に複数設けられている。
前述の不正給紙検知センサが不正給紙を検知すると、前述の偏心軸受２０の回動と同時に、これら複数の紙押え具９０が、フィーダボード１１０上を搬送されてきた不正紙２００を上方から押止してその搬送を停止させる。
【００４３】
また、図１０は、本発明の第２の実施形態における枚葉印刷機のスイング装置の構成を示す側面図である。
図に示すように、各紙押え具９０は、棒形状であって、その一端が紙押え具回動軸９１中心に回動自在に設けられている。また、この棒状の紙押え具９０の他端には半球の部材が設けられており、不正給紙発生時には、この半球状の先端でフィーダボード１１０上を搬送されてくる不正紙２００を押止する。なお、この図に示した紙押え具９０の形状は、あくまでも一例であって、不正紙２００を押止して搬送を停止可能な形状であれば、他の形状であってもよいことはいうまでもない。
また、その紙押え具回動軸９１は、その軸両端が、枚葉印刷機内のフレームに回動自在に固設されており、例えばＤＣソレノイドにてこの紙押え具回動軸９１の回動が生起され、連れて紙押え具９０がこの軸９１回りに回動する。
【００４４】
（第２の実施形態の動作）
次に、上記の図を用いて、本実施形態におけるスイング装置による不正紙２００の押止動作について説明する。
【００４５】
図９に示すように、正常時には、実線で示されているように、紙押え具９０の先端とフィーダボード１１０面とは間隙があり、枚葉紙１００は、グリッパ爪６０まで到達することができるようになっている。
一方、不正給紙発生時には、破線で示されているように、紙押え具回動軸９１中心に紙押え具９０が回動し、紙押え具９０とフィーダボード１１０上の搬送面とがほぼ垂直になり、その紙押え具９０の先端がフィーダボード１１０上の不正紙２００を押止できるようになる。
【００４６】
以上説明したように、本実施の形態によれば、グリッパ爪６０の開閉制御による不正紙２００の搬送防止に加えて、紙押え具９０が、フィーダボード１１０上を搬送されてくる不正紙２００を押止することで、不正紙２００をグリッパ爪６０の咥え位置まで搬送することを防ぐことができる。また、たとえ、不正紙２００がグリッパ爪６０の咥え位置まで搬送されたとしても、紙押え具９０により押止されているので、グリッパ爪６０は搬送することができない。従って、この紙押え具９０の押止により不正紙２００の印刷部等への搬送を確実に防止することが可能となる。
また、この紙押え具９０による紙押止動作は、押え具回動軸９１回りの回動により行われるので、高速印刷時においてもショック及び負荷が生じることがない。この結果、印刷機に損傷を与えることなく、スムーズに不正紙２００の搬送を確実に防止することができる。
【００４７】
（実施形態全体のまとめ）
以上説明したように、前述した第１、第２の実施形態におけるスイング装置は、不正給紙発生時には、偏心軸受２０が回動してグリッパ爪６０の開閉を行う爪開閉カムフォロア８０の移動のタイミングを遅らせるとともに、グリッパ爪６０と爪座７０とが閉止しないようにカム溝２１の位置を調整するので、グリッパ爪６０が不正紙２００を把持することを防止する。
これから、不正紙２００が印刷部へ搬送することを防ぐことができ、無用な印刷トラブルを未然に防ぐことが可能となる。
さらに、第２の実施形態におけるスイング装置は、不正給紙が発生したときに、紙押え具回動軸が回動し、紙押え具９０がフィーダボード１１０上を搬送された不正紙２００を押止するので、グリッパ爪６０が不正紙２００を把持して搬送することを防ぐことができる。
また、偏心軸受２０及び紙押え具９０の回動は、高速印刷中であっても、枚葉印刷機内に振動を与えずに作動可能であるので、急な作動により印刷機内の故障発生を防止することが可能となる。
【００４８】
なお、上記の実施例は本発明の好適な実施の一例であり、本発明の実施例は、これに限定されるものではなく、本発明の要旨を逸脱しない範囲において種々変形して実施することが可能となる。
【図面の簡単な説明】
【００４９】
【図１】本発明の第１の実施形態における枚葉印刷機のスイング装置の構成を示す側面図であって、正常時に、枚葉紙をフィーダボードから受け取っている状態を示す図である。
【図２】本発明の第１の実施形態における枚葉印刷機のスイング装置の構成を示す正面図であって、正常時に、枚葉紙をフィーダボードから受け取っている状態を示す図である。
【図３】本発明の第１の実施形態における枚葉印刷機のスイング装置の構成を示す側面図であって、正常時に、フィーダボードから受け取った枚葉紙を咥えた状態を示す図である。
【図４】本発明の第１の実施形態における枚葉印刷機のスイング装置の構成を示す側面図であって、正常時に、咥えた枚葉紙を給紙胴へ移している状態を示す図である。
【図５】本発明の第１の実施形態における枚葉印刷機のスイング装置の構成を示す側面図であって、不正給紙発生時の状態を示す図である。
【図６】本発明の第１の実施形態における枚葉印刷機のスイング装置の構成を示す側面図であって、不正給紙発生時に、フィーダボードから不正紙が前当てに到達した状態を示す図である。
【図７】本発明の第１の実施形態における枚葉印刷機のスイング装置の構成を示す側面図であって、不正給紙発生時に、グリッパ爪及び爪座が、給紙胴と隣接する位置まで移動した状態を示す図である。
【図８】本発明の第１の実施形態における不正給紙発生時の爪開閉カム及び偏心軸受の回動を示す側面図である。
【図９】本発明の第２の実施形態における枚葉印刷機のスイング装置の構成を示す平面図であって、このスイング装置を上方から見た図である。
【図１０】本発明の第２の実施形態における枚葉印刷機のスイング装置の構成を示す側面図である。
【符号の説明】
【００５０】
１０    偏心軸受駆動機構
１１，１４，１７  アーム軸
１３，１６  アーム部材
１５    アームスイング軸
１８    軸受連設軸
２０    偏心軸受
２１    カム溝
３０    スイングレバー
４０    スイングレバー軸
５０    グリッパ軸
６０    グリッパ爪
７０    爪座
８０    爪開閉カムフォロア
９０    紙押え具
９１    紙押え具回動軸
１００  枚葉紙
１１０  フィーダボード
１１１  前当て
１２０  給紙胴
２００  不正紙
２０１  爪開閉カム
Ａ，Ｃ  偏心軸受の中心
Ｂ      スイングレバー軸の中心
Ｘ，Ｘ’，Ｙ，Ｙ’  爪開閉カムフォロアの位置
【図１】
2008143667.tif 000003
【図２】
2008143667.tif 000004
【図３】
2008143667.tif 000005
【図４】
2008143667.tif 000006
【図５】
2008143667.tif 000007
【図６】
2008143667.tif 000008
【図７】
2008143667.tif 000009
【図８】
2008143667.tif 000010
【図９】
2008143667.tif 000011
【図１０】
2008143667.tif 000012